(57)【要約】【課題】撮像部で撮像された画像が複数の用途で利用される場合であっても、各用途に最適な画像を提供することができる画像情報出力システム、画像情報出力方法及びプログラムを提供する。【解決手段】画像情報出力システム２は、画像取得部１０１と、第１処理部１０２と、第２処理部１０３と、第１出力部１０４と、第２出力部１０５と、を備える。画像取得部１０１は、撮像部１１を有するロビーインターホン１０の撮像部１１が撮像した画像を取得する。第１処理部１０２は、当該画像に基づいて、第１用途で利用する第１画像情報を生成する。第２処理部１０３は、当該画像に基づいて、第２用途で利用する第２画像情報を生成する。第１出力部１０４は、第１画像情報を出力する。第２出力部１０５は、第２画像情報を出力する。【選択図】図１
2020178290.tif 000002
【特許請求の範囲】
【請求項１】
撮像部を有するインターホン装置の前記撮像部が撮像した画像を取得する画像取得部と、
前記画像に基づいて、第１用途で利用する第１画像情報を生成する第１処理部と、
前記画像に基づいて、第２用途で利用する第２画像情報を生成する第２処理部と、
前記第１画像情報を出力する第１出力部と、
前記第２画像情報を出力する第２出力部と、を備える、
画像情報出力システム。
【請求項２】
前記第１処理部と前記第２処理部とは、異なる処理を行う、
請求項１に記載の画像情報出力システム。
【請求項３】
前記第１処理部と前記第２処理部とは、同一処理を異なるパラメータで行う、
請求項１に記載の画像情報出力システム。
【請求項４】
前記第１処理部及び前記第２処理部の各々が行う処理は、歪補正を含む、
請求項１〜３のいずれか一項に記載の画像情報出力システム。
【請求項５】
前記第１処理部及び前記第２処理部の各々が行う処理は、色調補正を含む、
請求項１〜４のいずれか一項に記載の画像情報出力システム。
【請求項６】
前記第１処理部及び前記第２処理部の各々が行う処理は、前記画像の一部の領域に対して行われる、
請求項１〜５のいずれか一項に記載の画像情報出力システム。
【請求項７】
前記一部の領域として複数の領域が前記画像に存在する場合、前記第１処理部及び前記第２処理部の各々は、それぞれの領域に応じた処理を行う、
請求項６に記載の画像情報出力システム。
【請求項８】
前記第１用途は、第１画像情報を用いた画像認証を含む、
請求項１〜７のいずれか一項に記載の画像情報出力システム。
【請求項９】
前記画像認証は顔認証を含む、
請求項８に記載の画像情報出力システム。
【請求項１０】
前記第２用途は、前記インターホン装置と通信する情報端末での表示を含む、
請求項１〜９のいずれか一項に記載の画像情報出力システム。
【請求項１１】
前記第１用途は、第１画像情報を用いた画像認証を含み、
前記第１処理部は、前記情報端末の操作に基づいて処理の内容を変更する指示を受け付けず、
前記第２処理部は、前記情報端末の操作に基づいて処理の内容を変更する指示を受け付ける、
請求項１０に記載の画像情報出力システム。
【請求項１２】
前記第１処理部と前記第２処理部とは、異なる集積回路で構成されている、
請求項1〜１１のいずれか一項に記載の画像情報出力システム。
【請求項１３】
撮像部を有するインターホン装置の前記撮像部が撮像した画像を取得する画像取得ステップと、
前記画像に基づいて、第１用途で利用する第１画像情報を生成する第１処理ステップと、
前記画像に基づいて、第２用途で利用する第２画像情報を生成する第２処理ステップと、
前記第１画像情報を出力する第１出力ステップと、
前記第２画像情報を出力する第２出力ステップと、を含む、
画像情報出力方法。
【請求項１４】
コンピュータに、請求項１３に記載の画像情報出力方法を実行させるためのプログラム。
【請求項１５】
画像を取得する画像取得部と、
前記画像に基づいて顔認証向けに第１画像情報を生成する第１処理部と、
前記画像に基づいて閲覧表示向けに第２画像情報を生成する第２処理部と、
前記第１画像情報を出力する第１出力部と、
前記第２画像情報を出力する第２出力部と、を備える、
画像情報出力システム。
【発明の詳細な説明】
【技術分野】
【０００１】
本開示は、一般に画像情報出力システム、画像情報出力方法及びプログラムに関し、より詳細には画像を複数の用途に用いるための画像情報出力システム、画像情報出力方法及びプログラムに関する。
【背景技術】
【０００２】
従来、カメラ等の撮像手段を備えるインターホン子機と、呼出時に撮像手段で撮像された画像（静止画像、動画像）を表示するインターホン親機とを備えるインターホンシステムが知られている（例えば、特許文献１参照）。
【０００３】
特許文献１のインターホンシステムを用いることで、住人（居住者）が来訪者の挙動を認識することができる。
【先行技術文献】
【特許文献】
【０００４】
【特許文献１】特開２０１５−１１１９３５号公報
【発明の概要】
【発明が解決しようとする課題】
【０００５】
近年、撮像手段（撮像部）で撮像される画像を居住者の呼出だけでなく、他の用途にも利用が可能であるが、この場合、用途に応じて最適な画像を生成する必要がある。
【０００６】
本開示は上記課題に鑑みてなされ、撮像部で撮像された画像が複数の用途で利用される場合であっても、各用途に最適な画像を提供することができる画像情報出力システム、画像情報出力方法及びプログラムを提供することを目的とする。
【課題を解決するための手段】
【０００７】
本開示の一態様に係る画像情報出力システムは、画像取得部と、第１処理部と、第２処理部と、第１出力部と、第２出力部と、を備える。前記画像取得部は、撮像部を有するインターホン装置の前記撮像部が撮像した画像を取得する。前記第１処理部は、前記画像に基づいて、第１用途で利用する第１画像情報を生成する。前記第２処理部は、前記画像に基づいて、第２用途で利用する第２画像情報を生成する。前記第１出力部は、前記第１画像情報を出力する。前記第２出力部は、前記第２画像情報を出力する。
【０００８】
本開示の一態様に係る画像情報出力方法は、画像取得ステップと、第１処理ステップと、第２処理ステップと、第１出力ステップと、第２出力ステップと、を含む。前記画像取得ステップは、撮像部を有するインターホン装置の前記撮像部が撮像した画像を取得する。前記第１処理ステップは、前記画像に基づいて、第１用途で利用する第１画像情報を生成する。前記第２処理ステップは、前記画像に基づいて、第２用途で利用する第２画像情報を生成する。前記第１出力ステップは、前記第１画像情報を出力する。前記第２出力ステップは、前記第２画像情報を出力する。
【０００９】
本開示の一態様に係るプログラムは、コンピュータに、前記画像情報出力方法を実行させるためのプログラムである。
【００１０】
本開示の一態様に係る画像情報出力システムは、画像取得部と、第１処理部と、第２処理部と、第１出力部と、第２出力部と、を備える。前記画像処理部は、画像を取得する。前記第１処理部は、前記画像に基づいて顔認証向けに第１画像情報を生成する。前記第２処理部は、前記画像に基づいて閲覧表示向けに第２画像情報を生成する。前記第１出力部は、前記第１画像情報を出力する。前記第２出力部は、前記第２画像情報を出力する。
【発明の効果】
【００１１】
本開示によると、撮像部で撮像された画像が複数の用途で利用される場合であっても、各用途に最適な画像を提供することができる。
【図面の簡単な説明】
【００１２】
【図１】図１は、一実施形態に係るインターホン装置としてのロビーインターホンの構成を説明する図である。
【図２】図２は、同上のロビーインターホンを含むインターホンシステムの構成を説明する図である。
【図３】図３Ａは、同上のロビーインターホンの撮像部で撮像された画像を示す図である。図３Ｂは、図３Ａで示す画像を認証用の画像に補正した場合の状態を示す図である。
【図４】図４は、同上のロビーインターホンの動作を説明する図である。
【図５】図５は、同上のインターホンシステムにおける認証時の動作を説明する図である。
【図６】図６は、同上のインターホンシステムにおける表示時の動作を説明する図である。
【発明を実施するための形態】
【００１３】
以下に説明する実施形態及び変形例は、本開示の一例に過ぎず、本開示は、実施形態及び変形例に限定されない。以下の実施形態及び変形例以外であっても、本開示に係る技術的思想を逸脱しない範囲であれば、設計等に応じて種々の変更が可能である。
【００１４】
（実施形態）
以下、本実施形態に係るインターホンシステム１及び画像情報出力システム２について、図１〜図６を用いて説明する。
【００１５】
（１）概要
本実施形態のインターホンシステム１は、図２に示すように、インターホン装置としてのロビーインターホン１０と、複数（図示例では２つ）のインターホン親機２０と、複数（図示例では２つ）の玄関子機３０と、制御装置４０とを備えている。本実施形態では、インターホンシステム１が施設５としての集合住宅に用いられる場合を例として説明する。また、複数のインターホン親機の各々は、本開示の情報端末に相当する。
【００１６】
ロビーインターホン１０は、例えば、集合住宅のロビーなどの共用部に設置される。集合住宅は、共用部の他、複数の専有部（住戸）を有している。インターホン親機２０は、専有部ごとに当該専有部内に設置される。玄関子機３０は、例えば、専有部ごとに当該住戸の外玄関に設置される。
【００１７】
ロビーインターホン１０は、撮像部１１と、画像情報出力システム２としての画像処理装置１００と、を備える。ロビーインターホン１０は、撮像部１１が撮像した画像に関する処理を行う。
【００１８】
ロビーインターホン１０とインターホン親機２０とは、制御装置４０を介して互いに通信可能に構成されている。これにより、本実施形態に係るインターホンシステム１では、ロビーインターホン１０とインターホン親機２０との間で通話可能となる。さらに、インターホン親機２０と玄関子機３０とは、互いに通信可能に構成されている。
【００１９】
また、ロビーインターホン１０及び制御装置４０は、図示しないゲートウェイを介してインターネット等のネットワークＮＴ１と接続可能である。これにより、ロビーインターホン１０及び制御装置４０は、ネットワークＮＴ１を介してサーバ５０と通信可能である。
【００２０】
ロビーインターホン１０は、共用部で人（例えば、来訪者）を検知すると、当該人の撮像を開始する。ロビーインターホン１０は、来訪者から呼び出しのための操作を受け付けると、専有部内の居住者を呼び出すための制御信号（呼出信号）をインターホン親機２０に制御装置４０を介して送信する。ロビーインターホン１０は、インターホン親機２０に対する操作によりインターホン親機２０との間で通話が可能になると、来訪者の音声のデータを制御装置４０を介してインターホン親機２０に送信する。ロビーインターホン１０は、インターホン親機２０の操作者の音声のデータを制御装置４０を介して受け取ると、受け取ったデータに基づく音声（操作者の音声）を出力する。
【００２１】
画像処理装置１００は、撮像部１１が撮像した画像（撮像画像）を使用する用途に応じて、当該撮像画像に対して画像処理を施す。本実施形態では、第１用途として画像認証を、第２用途としてインターホン親機２０での表示を、それぞれ含む。
【００２２】
インターホン親機２０が制御信号（呼出信号）をロビーインターホン１０から受信している状態（つまり、来訪者からロビーインターホン１０を介して呼出がある状態）で専有部内の住居者は、ロビーインターホン１０との通話又はロビーの扉の解錠の操作を行う。
【００２３】
制御装置４０は、ロビーインターホン１０から制御信号（呼出信号）を受け取ると、受け取った制御信号を呼出があるインターホン親機２０に送信する。制御装置４０は、ロビーインターホン１０とインターホン親機２０との間で通話が可能な状態である場合には、来訪者の音声のデータ及び操作者の音声のデータを送受信する。さらに、制御装置４０は、インターホン親機２０の操作に応じて、例えばロビーに設けられた扉の施錠、解錠を行う。
【００２４】
ロビーインターホン１０は、人の撮像を開始後、来訪者から呼び出しのための操作を受け付けない場合には、撮像した画像をサーバ５０（図２参照）に送信する。ロビーインターホン１０は、サーバ５０による認証処理の結果に応じて、ロビーの扉の解錠に係る処理を行う。
【００２５】
玄関子機３０は、来訪者から呼び出しのための操作を受け付けると、専有部内の居住者を呼び出すための制御信号（呼出信号）をインターホン親機２０に送信する。玄関子機３０は、インターホン親機２０に対する操作によりインターホン親機２０との間で通話が可能になると、来訪者の音声のデータをインターホン親機２０に送信する。玄関子機３０は、インターホン親機２０の操作者の音声のデータを受け取ると、受け取ったデータに基づく音声（操作者の音声）を出力する。
【００２６】
サーバ５０は、ロビーインターホン１０が撮像した画像を用いて、撮像された人物（例えば、来訪者、外出先から帰宅した住居者）の認証を行う。サーバ５０は、認証の結果を、ネットワークＮＴ１を介してロビーインターホン１０に送信する。なお、本実施形態では、サーバ５０は、画像を用いた認証（画像認証）の一例として顔認証を行う。
【００２７】
（２）構成
（２−１）ロビーインターホン
ロビーインターホン１０は、図１に示すように、画像情報出力システム２としての画像処理装置１００と、撮像部１１と、センサ部１２と、第１通信部１３と、第２通信部１４と、操作部１５と、通話部１６と、制御部１７と、を備える。
【００２８】
ロビーインターホン１０は、例えばプロセッサ及びメモリを有するマイクロコンピュータを有している。そして、プロセッサがメモリに格納されているプログラムを実行することにより、マイクロコンピュータが制御部１７として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００２９】
撮像部１１は、ＣＣＤ（Charge Coupled Devices）イメージセンサ、又はＣＭＯＳ（Complementary Metal-Oxide Semiconductor）イメージセンサ等の二次元イメージセンサ等の撮像素子を有し、被写体（来訪者等）を撮影するためのカメラである。撮像部１１が撮像に用いるレンズは、例えば魚眼レンズである。本実施形態では、少なくとも来訪者の顔を撮影できるように、撮像部１１の撮像エリア（視野）は、ロビーインターホン１０の前方に設定される。また、本実施形態では、撮像部１１は動画を撮影するカメラであるが、静止画を撮影するカメラであってもよい。さらに、本実施形態では、撮像部１１はカラー画像を撮影するカメラであるが、モノクローム画像を撮影するカメラであってもよい。
【００３０】
センサ部１２は、例えば人の接近を検知する人感センサである。
【００３１】
第１通信部１３は、ネットワークＮＴ１を介してサーバ５０と通信を行うための通信インタフェースも含んでいる。第１通信部１３は、ロビーインターホン１０とサーバ５０との間で、少なくともロビーインターホン１０が撮像した画像、画像に係る情報及び認証に係る情報が伝送可能となるように、サーバ５０との間で双方向に通信可能に構成されている。
【００３２】
第２通信部１４は、制御装置４０を介してインターホン親機２０と通信を行うための通信インタフェースを含んでいる。第２通信部１４は、ロビーインターホン１０とインターホン親機２０との間で音声信号及び制御信号が双方向に伝送可能となるように、インターホン親機２０との間で双方向に通信可能に構成されている。
【００３３】
操作部１５は、来訪者から呼び出しのための操作を受け付ける。操作部１５に対して所定の操作（例えば押操作）がされると、専有部（住戸）内の住居者を呼び出すための制御信号（呼出信号）を、第２通信部１４及び制御装置４０を介してインターホン親機２０に送信する。
【００３４】
通話部１６は、スピーカ及びマイクロホンを含み、インターホン親機２０との間で通話可能に構成されている。
【００３５】
制御部１７は、センサ部１２から検知結果を受け付ける。制御部１７は、操作部１５が受け付けた操作に係る情報を、操作部１５から受け付ける。
【００３６】
制御部１７は、センサ部１２の検知結果が人を検知したことを表している場合には、撮像部１１を起動し、撮像を開始させる。つまり制御部１７は、撮像部１１への電力の供給を開始する。
【００３７】
制御部１７は、撮像した画像に基づいた認証をサーバ５０に行わせるか、又は撮像した画像に基づいた画像をインターホン親機２０に表示させるかを判断する。具体的には、制御部１７は、撮像部１１の撮像開始後、所定時間内に呼出操作を受け付けた場合には、撮像した画像に基づいた画像をインターホン親機２０に表示させると判断する。制御部１７は、撮像部１１の撮像開始後、所定時間内に呼出操作を受け付けない場合には、撮像した画像に基づいた認証をサーバ５０に表示させると判断する。
【００３８】
制御部１７は、撮像した画像に基づいた画像をインターホン親機２０に表示させる場合には、制御信号（呼出信号）を、第２通信部１４及び制御装置４０を介してインターホン親機２０に送信する。制御部１７は、インターホン親機２０との間で通話が可能な状態である場合に、通話部１６のマイクロホンから来訪者の音声のデータ（音声信号）を受け取ると、受け取った音声信号をインターホン親機２０に送信する。制御部１７は、インターホン親機２０との間で通話が可能な状態である場合に、インターホン親機２０から操作者の音声信号を受け取ると、受け取った音声信号を通話部１６のスピーカに出力する。このときスピーカは受け取った音声信号を基に音声を出力する。
【００３９】
制御部１７は、第１通信部１３を介してサーバ５０から認証結果を受け取る。制御部１７は、認証結果に応じて共用部の扉の開閉動作を制御する。具体的には、認証が成功した場合には、制御部１７は、共用部の扉の開けるための解錠信号を制御装置４０に送信する。一方、認証が失敗した場合には、制御部１７は、共用部の扉の開けるための解錠信号を制御装置４０に送信しない。つまり制御部１７は、共用部の扉の状態を閉じたままの状態に維持する。
【００４０】
画像処理装置１００は、撮像部１１が撮像した画像（撮像画像）を使用する用途に応じて、当該撮像画像に対して画像処理を施す。具体的には、画像処理装置１００は、サーバ５０に認証を行わせる場合には、撮像部１１が撮像した画像を基に第１画像情報として認証用の画像を生成し、生成した認証用の画像をサーバ５０に送信する。画像処理装置１００は、インターホン親機２０に表示させる場合には、撮像部１１が撮像した画像を基に第２画像情報として表示用の画像を生成し、生成した表示用の画像をインターホン親機２０に送信する。
【００４１】
（２−２）画像処理装置
画像情報出力システム２としての画像処理装置１００は、図１に示すように、画像取得部１０１と、第１処理部１０２と、第２処理部１０３と、第１出力部１０４と、第２出力部１０５と、を備える。
【００４２】
画像取得部１０１は、撮像部１１が撮像した画像（撮像画像）を、撮像部１１から受け取る。画像取得部１０１は、認証用の画像の生成に係る処理、及び表示用の画像の生成に係る処理のうち共通に行われる処理（共通処理）を、受け取った撮像画像に対して施す。例えば、画像取得部１０１は、受け取った撮像画像に対して、ＲＧＢベイヤ及び２段露光等の処理を施す。
【００４３】
第１処理部１０２は、１つの集積回路で実現され、撮像画像を基に認証用の画像（第１画像情報）を生成する。具体的には、第１処理部１０２は、撮像画像に対して、歪補正及び色調補正のうち少なくとも１つの補正に係る処理を行う。歪補正は、レンズ歪補正及び視点変換歪補正を含む。色調補正は、撮像画像の色、明るさ及び濃淡等の補正を含む。
【００４４】
第１処理部１０２は、撮像画像に含まれる人の顔の領域を抽出する。
【００４５】
第１処理部１０２は、歪補正を行う場合には、抽出した顔の領域に応じて歪補正に用いるパラメータを決定する。具体的には、第１処理部１０２は、撮像画像に含まれる人の顔が鮮明となるように、歪補正に用いるパラメータを決定する。例えば、ロビーインターホン１０が傾斜台に取り付けられている場合、つまり、撮像部１１が鉛直方向に対して斜め方向に設置されている場合に、人が前に屈んだ状態で撮像されたときには撮像部１１に近づいているので撮像される顔の領域は大きくなる。この場合、撮像部１１と人の顔とは正対した状態となり、顔が撮像画像の中央にあるときには顔の領域では歪が小さくなる。そこで、第１処理部１０２は、撮像画像の周囲の歪を補正するレンズ歪補正を行うようにパラメータを決定する。第１処理部１０２は、決定したパラメータに基づく歪補正を撮像画像に対して行う。
【００４６】
また、ロビーインターホン１０が傾斜台に取り付けられている場合に、人が直立した状態で撮像されたときには、図３Ａに示すように、来訪者Ｕ１が先細って（先端（頭部）が細って）見える。そのため、顔の領域が小さくなり認証に不向きとなる。そこで、第１処理部１０２は、例えば、撮像画像（来訪者が先細りした画像）に対して視点変換歪補正を行うことで、図３Ａに示す歪（先細り）が補正される（図３Ｂ参照）。図３Ｂでは、来訪者Ｕ１について先細りが抑制され、来訪者Ｕ１の顔の領域が補正前より大きくなる。そのため、補正後の画像を認証用の画像とすることで、認証の精度を高めることができる。
【００４７】
なお、撮像部１１が鉛直方向に対して斜め方向に設置されている場合に、人が前に屈んだ状態で撮像されたときにおいて、第１処理部１０２は、視点変換補正を行ってもよい。また、ロビーインターホン１０が傾斜台に取り付けられている場合に、人が直立した状態で撮像されたときにおいて、第１処理部１０２は、レンズ歪補正を行ってもよい。
【００４８】
第１処理部１０２は、色調補正を行う場合には、顔の領域以外の領域（背景領域）と比較して相対的に顔の領域が鮮明となるように、撮像画像の色、明るさ及び濃淡のうち少なくとも１つについてのパラメータを決定する。第１処理部１０２は、決定したパラメータに基づく色調補正を撮像画像に対して行う。
【００４９】
第１処理部１０２は、撮像画像に対して上述した歪補正及び色調補正のうち少なくとも一方を行うことで、認証用の画像を生成する。第１処理部１０２は、生成した認証用の画像を、第１出力部１０４及び第１通信部１３を介してサーバ５０に送信する。
【００５０】
第１出力部１０４は、第１処理部１０２が生成した認証用の画像を、第１通信部１３を介してサーバ５０に送信する。具体的には、第１処理部１０２を実現する集積回路に設けられた出力ポートである。第１出力部１０４は、第１処理部１０２から受け取った認証用の画像を、当該第１出力部１０４に接続された第１通信部１３に出力する。
【００５１】
第２処理部１０３は、第１処理部１０２を実現する集積回路とは別の１つの集積回路で実現され、撮像画像を基に表示用の画像（第２画像情報）を生成する。具体的には、第２処理部１０３は、撮像画像に対して、歪補正及び色調補正のうち少なくとも１つの補正に係る処理を行う。歪補正は、第１処理部１０２の場合と同様に、レンズ歪補正及び視点変換歪補正を含む。色調補正は、第１処理部１０２の場合と同様に、撮像画像の色、明るさ及び濃淡等の補正を含む。
【００５２】
第２処理部１０３は、撮像画像に含まれる人の顔の領域を抽出する。
【００５３】
第２処理部１０３は、歪補正を行う場合には、抽出した顔の領域に応じて歪補正に用いるパラメータを決定する。具体的には、第２処理部１０３は、撮像画像が全体的に見易くなるように、歪補正に用いるパラメータを決定する。例えば、ロビーインターホン１０が傾斜台に取り付けられている場合に、人が前に屈んだ状態で撮像されたときには撮像部１１に近づいているので撮像される顔の領域は大きくなる。この場合、人の顔が大きく、背景を含む全体の見易さが悪い状態となる。そこで、第２処理部１０３は、撮像画像を鉛直方向に投影する歪補正である視点変換歪補正を行うようにパラメータを決定する。第２処理部１０３は、決定したパラメータに基づく歪補正を撮像画像に対して行う。なお、ロビーインターホン１０が傾斜台に取り付けられている場合に、人が前に屈んだ状態で撮像されたときにおいて、第２処理部１０３は、レンズ歪補正を行ってもよい。
【００５４】
なお、撮像部１１が鉛直方向に対して斜め方向に設置されている場合に、人が直立した状態で撮像されたときにおいて、第２処理部１０３は、視点変換補正を行ってもよいし、レンズ歪補正を行ってもよい。
【００５５】
第２処理部１０３は、色調補正を行う場合には、顔の領域と背景領域との双方が鮮明となるように、撮像画像の色、明るさ及び濃淡のうち少なくとも１つについてのパラメータを決定する。第２処理部１０３は、決定したパラメータに基づく色調補正を撮像画像に対して行う。
【００５６】
第２処理部１０３は、撮像画像に対して上述した歪補正及び色調補正のうち少なくとも一方を行うことで、表示用の画像を生成する。第２処理部１０３は、生成した表示用の画像を、第２出力部１０５及び第２通信部１４を介して呼出対象であるインターホン親機２０に送信する。
【００５７】
第２出力部１０５は、第２処理部１０３が生成した表示用の画像を、第２通信部１４及び制御装置４０を介してインターホン親機２０に送信する。具体的には、第２処理部１０３を実現する集積回路に設けられた出力ポートである。第２出力部１０５は、第２処理部１０３から受け取った表示用の画像を、当該第２出力部１０５に接続された第２通信部１４に出力する。
【００５８】
本実施形態では、撮像画像に対して、第１処理部１０２は歪補正を行い、第２処理部１０３は色調補正を行うといった、互いに異なる処理を行ってもよい。
【００５９】
また、撮像画像に対して、第１処理部１０２は歪補正としてレンズ歪補正を行い、第２処理部１０３は歪補正として視点変換歪補正を行うといった、同一処理（歪補正）を互いに異なるパラメータで行ってもよい。または、撮像画像に対して、第１処理部１０２は色調補正として明るさの補正を行い、第２処理部１０３は色調補正として濃淡の補正を行うといった、同一処理（色調補正）を互いに異なるパラメータで行ってもよい。
【００６０】
また、第１処理部１０２は、抽出した顔の領域に対してのみ歪補正及び色調補正のうち少なくとも一方を行ってもよい。第１処理部１０２は、複数の顔の領域を抽出した場合には、複数の顔の領域のそれぞれに対して、当該顔の領域に応じた補正を施してもよい。例えば、第１処理部１０２は、複数の顔の領域のうち撮像画像の端部に存在する顔の領域に対してはレンズ歪補正を行う。第１処理部１０２は、複数の顔の領域のうち撮像画像の中央に存在する顔の領域に対しては色調補正を行う。
【００６１】
同様に、第２処理部１０３は、抽出した顔の領域に対してのみ歪補正及び色調補正のうち少なくとも一方を行ってもよい。第２処理部１０３は、複数の顔の領域を抽出した場合には、複数の顔の領域のそれぞれに対して、当該顔の領域に応じた補正を施してもよい。例えば、第２処理部１０３は、複数の顔の領域のうち撮像画像の端部に存在する顔の領域に対してはレンズ歪補正を行う。第２処理部１０３は、複数の顔の領域のうち撮像画像の中央に存在する顔の領域に対しては色調補正を行う。
【００６２】
（２−３）インターホン親機
インターホン親機２０は、図２に示すように、第１通信部２１と、第２通信部２２と、操作部２３と、通話部２４と、表示部２５と、制御部２６とを備えている。
【００６３】
インターホン親機２０は、例えばプロセッサ及びメモリを有するマイクロコンピュータを有している。そして、プロセッサがメモリに格納されているプログラムを実行することにより、マイクロコンピュータが制御部２６として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００６４】
第１通信部２１は、制御装置４０と通信するための通信インタフェースである。第１通信部２１は、制御装置４０を介してロビーインターホン１０に接続されている。例えば、第１通信部２１は、ロビーインターホン１０から送信される画像を受信する。さらに、ロビーインターホン１０との間で音声信号及び制御信号が双方向に伝送可能となるよう、第１通信部２１は、ロビーインターホン１０との間で双方向に通信可能に構成されている。
【００６５】
第２通信部２２は、玄関子機３０と通信するための通信インタフェースである。第２通信部２２は、例えばツイストペア線等からなる２線式の伝送路を介して、玄関子機３０と電気的に接続されている。
【００６６】
操作部２３は、専有部内の住居者の操作を受け付ける。第１通信部２１が住居者を呼び出すための制御信号（呼出信号）をロビーインターホン１０から受信している状態で、操作部２３に対して所定の操作がされると、インターホン親機２０とロビーインターホン１０との間で通話可能な状態となる。ここで、所定の操作は、例えば押操作である。第１通信部２１が呼出信号をロビーインターホン１０から受信している状態、又はロビーインターホン１０と通話可能な状態で、共用部に設けられた扉の解錠の操作がされると、解錠信号が制御装置４０に送信される。
【００６７】
さらに、第２通信部２２が住居者を呼び出すための制御信号（呼出信号）を玄関子機３０から受信している状態で、操作部２３に対して所定の操作（例えば押操作）がされると、インターホン親機２０と玄関子機３０との間で通話可能な状態となる。
【００６８】
通話部２４は、スピーカ及びマイクロホンを含み、ロビーインターホン１０及び玄関子機３０との間で通話可能に構成されている。
【００６９】
表示部２５は、ロビーインターホン１０から送信される画像を表示する。
【００７０】
制御部２６は、ロビーインターホン１０から制御信号（呼出信号）及び撮像部１１が撮像した画像（ここでは、表示用の画像）を、第１通信部２１を介して受け取ると、呼出音の音データを、通話部２４のスピーカに出力し、受け取った表示用の画像を表示部２５に出力する。これにより、制御部２６は、通話部２４のスピーカに呼出音を出力させ、かつ表示用の画像を表示部２５に表示させる。
【００７１】
制御部２６は、玄関子機３０から制御信号（呼出信号）を、第２通信部２２を介して受け取ると、通話部２４のスピーカに呼出音を出力させる。
【００７２】
以上により、インターホン親機２０は、ロビーインターホン１０と通信する情報端末であって、表示用の画像を表示する。
【００７３】
（２−４）玄関子機
玄関子機３０は、例えばプロセッサ及びメモリを有するマイクロコンピュータを有している。そして、プロセッサがメモリに格納されているプログラムを実行することにより、マイクロコンピュータが玄関子機３０として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００７４】
玄関子機３０は、来訪者から呼び出しのための操作を受け付けると、専有部内の住居者を呼び出すための制御信号（呼出信号）をインターホン親機２０に送信する。
【００７５】
玄関子機３０は、スピーカ及びマイクロホンを含み、インターホン親機２０との間で通話可能に構成されている。
【００７６】
なお、玄関子機３０は、撮像部を有してもよい。この場合、玄関子機３０は、撮像部が撮像した画像を、インターホン親機２０に送信する。インターホン親機２０は、玄関子機３０から受け取った画像を表示部２５で表示する。
【００７７】
（２−５）サーバ
サーバ５０は、通信部５１と、記憶部５２と、認証部５３と、を備える。
【００７８】
サーバ５０は、例えばプロセッサ及びメモリを有するマイクロコンピュータを有している。そして、プロセッサがメモリに格納されているプログラムを実行することにより、マイクロコンピュータがサーバ５０として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００７９】
通信部５１は、ネットワークＮＴ１を介して、ロビーインターホン１０と通信するための通信インタフェースである。
【００８０】
記憶部５２は、ＲＯＭ（Read Only Memory）、ＲＡＭ（Random Access Memory）、又はＥＥＰＲＯＭ（Electrically Erasable Programmable Read Only Memory）等から選択されるデバイスで構成される。
【００８１】
記憶部５２は、各専有部の住居者の顔の画像、及び住居者が予め登録した来訪者の顔の画像を記憶している。
【００８２】
認証部５３は、通信部５１を介してロビーインターホン１０から、画像処理装置１００が送信した認証用の画像を受け取る。
【００８３】
認証部５３は、受け取った画像と、記憶部５２が記憶している各画像とを比較する顔認証処理を行う。
【００８４】
認証部５３は、受け取った画像と一致する画像が記憶部５２に記憶されている場合には、認証が成功したと判断する。認証部５３は、受け取った画像と一致する画像が記憶部５２に記憶されていない場合には、認証が失敗したと判断する。ここで、「一致」とは、完全一致だけでなく、一致度が許容される誤差の範囲である場合も含む。
【００８５】
認証部５３は、画像処理装置１００から受け取った認証用の画像に、複数の人の顔が含まれている場合には、当該認証用の画像に含まれる複数の顔の各々について、一致する画像が記憶部５２に記憶されている場合には、認証が成功したと判断する。認証部５３は、複数の人の顔のうち少なくとも１人の顔について一致する画像が記憶部５２に記憶されていない場合には、認証は失敗したと判断する。
【００８６】
認証部５３は、通信部５１を介してロビーインターホン１０に認証結果を送信する。
【００８７】
（２−６）制御装置
制御装置４０について説明する。制御装置４０は、ロビーインターホン１０及びインターホン親機２０と通信するための通信インタフェースを有している。
【００８８】
制御装置４０は、ロビーインターホン１０から呼出信号、表示用の画像及び来訪者の音声の音声信号を受け取ると、インターホン親機２０に送信する。制御装置４０は、インターホン親機２０が受け付けた音声の音声信号を受け取ると、ロビーインターホン１０に送信する。
【００８９】
制御装置４０は、更に、共用部の扉の施錠及び解錠の制御を行う。例えば、制御装置４０は、インターホン親機２０から解錠信号を受け取ると、共用部の扉の解錠を行い、一定時間経過後、当該扉の施錠を行う。また、制御装置４０は、ロビーインターホン１０から解錠信号を受け取ると、共用部の扉の解錠を行い、一定時間経過後、当該扉の施錠を行う。なお、共用部の扉の施錠及び解錠の制御は、ロビーインターホン１０が行ってもよい。
【００９０】
（３）動作
（３−１）ロビーインターホンの動作
ここでは、ロビーインターホン１０の動作について、図４を用いて説明する。
【００９１】
ロビーインターホン１０の撮像部１１は、センサ部１２が人を検知すると、撮像を開始する（ステップＳ１）。
【００９２】
制御部１７は、撮像部１１が画像の撮像を開始した後、所定時間内に操作部１５が呼出操作を受け付けたか否かを判断する（ステップＳ２）。
【００９３】
所定時間内に操作部１５が呼出操作を受け付けたと判断する場合（ステップＳ２における「Ｙｅｓ」）、ロビーインターホン１０は、呼出処理を行う（ステップＳ３）。具体的には、ロビーインターホン１０は、制御信号（呼出信号）及び表示用の画像をインターホン親機２０に送信する。その後、制御部１７は、インターホン親機２０との間で通話が可能な状態である場合に、通話部１６のマイクロホンから来訪者の音声のデータ（音声信号）を受け取ると、受け取った音声信号をインターホン親機２０に送信する。制御部１７は、インターホン親機２０との間で通話が可能な状態である場合に、インターホン親機２０から操作者の音声信号を受け取ると、受け取った音声信号を通話部１６のスピーカに出力する。このときスピーカは受け取った音声信号を基に音声を出力する。
【００９４】
操作部１５が未だ呼出操作を受け付けていないと判断する場合（ステップＳ２における「Ｎｏ」）、制御部１７は、所定時間が経過したか否かを判断する（ステップＳ４）。
【００９５】
所定時間が経過していないと判断する場合（ステップＳ４における「Ｎｏ」）、処理は、操作部１５に対する操作の受付待ちとなる。
【００９６】
所定時間が経過したと制御部１７が判断する場合（ステップＳ４における「Ｙｅｓ」）、画像処理装置１００は、認証用の画像をサーバ５０に送信する（ステップＳ５）。
【００９７】
画像の送信後、制御部１７は、サーバ５０が行った認証の認証結果を受信する（ステップＳ６）。
【００９８】
ステップＳ３の呼出処理後、インターホンシステム１の制御装置４０は、インターホン親機２０の操作に応じて開閉処理を行う（ステップＳ７）。具体的には、制御装置４０は、インターホン親機２０から解錠信号を受け取ると、共用部の扉の解錠を行い、一定時間経過後、当該扉の施錠を行う。また、ステップＳ６で認証結果を受け取った後も、制御装置４０は、ロビーインターホン１０の指示に応じて、ステップＳ７の開閉処理を行う。具体的には、制御装置４０は、ロビーインターホン１０から解錠信号を受け取ると、共用部の扉の解錠を行い、一定時間経過後、当該扉の施錠を行う。
【００９９】
（３−２）動作例１
ここでは、認証を行う際の動作例を、図５を用いて説明する。
【０１００】
ロビーインターホン１０の撮像部１１は、センサ部１２が人を検知すると、撮像を開始する（ステップＳ１１）。
【０１０１】
撮像部１１は、撮像した画像（撮像画像）を、画像処理装置１００に出力する（ステップＳ１２）。
【０１０２】
画像処理装置１００の画像取得部１０１は、撮像画像を受け取り、共通処理を行う（ステップＳ１３）。画像取得部１０１は、受け取った撮像画像に対して、ＲＧＢベイヤ及び２段露光等の処理を施す。
【０１０３】
画像取得部１０１は、共通処理が施された画像を第１処理部１０２に出力する（ステップＳ１４）。
【０１０４】
第１処理部１０２は、共通処理が施された画像に対して第１画像処理を施す（ステップＳ１５）。具体的には、第１処理部１０２は、撮像画像に含まれる人の顔の領域を抽出する。第１処理部１０２は、抽出した顔の領域に応じて歪補正及び色調補正のうち少なくとも一方を行い、認証用の画像を生成する。なお、第１処理部１０２は、複数の顔の領域を抽出した場合には、抽出した顔の領域ごとに、当該顔の領域に応じて歪補正及び色調補正のうち少なくとも一方を行い、認証用の画像を生成する。
【０１０５】
第１出力部１０４は、第１処理部１０２が生成した認証用の画像を、ネットワークＮＴ１を介して、サーバ５０に送信する（ステップＳ１６）。
【０１０６】
サーバ５０は、ロビーインターホン１０から受け取った認証用の画像を用いて、認証処理を行う（ステップＳ１７）。
【０１０７】
認証処理が行われた後、サーバ５０は、認証結果をロビーインターホン１０に送信する。ロビーインターホン１０の制御部１７は、認証結果に応じて共用部の扉の開閉の制御を行う（図４のステップＳ６，７参照）。
【０１０８】
（３−３）動作例２
ここでは、インターホン親機２０が画像の表示を行う際の動作例を、図６を用いて説明する。
【０１０９】
ロビーインターホン１０の撮像部１１は、センサ部１２が人を検知すると、撮像を開始する（ステップＳ２１）。
【０１１０】
撮像部１１は、撮像した画像（撮像画像）を、画像処理装置１００に出力する（ステップＳ２２）。
【０１１１】
画像処理装置１００の画像取得部１０１は、撮像画像を受け取り、共通処理を行う（ステップＳ２３）。画像取得部１０１は、受け取った撮像画像に対して、ＲＧＢベイヤ及び２段露光等の処理を施す。
【０１１２】
画像取得部１０１は、共通処理が施された画像を第２処理部１０３に出力する（ステップＳ２４）。
【０１１３】
第２処理部１０３は、共通処理が施された画像に対して第２画像処理を施す（ステップＳ２５）。具体的には、第２処理部１０３は、撮像画像に含まれる人の顔の領域を抽出する。第２処理部１０３は、抽出した顔の領域、及びその数に応じて歪補正及び色調補正のうち少なくとも一方を行い、表示用の画像を生成する。なお、第２処理部１０３は、複数の顔の領域を抽出した場合には、抽出した顔の領域ごとに、当該顔の領域に応じて歪補正及び色調補正のうち少なくとも一方を行い、表示用の画像を生成する。
【０１１４】
第２出力部１０５は、第２処理部１０３が生成した表示用の画像を、制御装置４０を介して、インターホン親機２０に送信する（ステップＳ２６）。
【０１１５】
インターホン親機２０は、表示処理を行う（ステップＳ２７）。具体的には、インターホン親機２０は、ロビーインターホン１０から受け取った表示用の画像を、表示部２５に表示させ、呼出処理を行う（図４のステップＳ６参照）。制御装置４０は、インターホン親機２０から解錠信号を受け取ると、共用部の扉の解錠を行い、一定時間経過後、当該扉の施錠を行う（図４のステップＳ７参照）。
【０１１６】
（４）利点
以上説明したように、画像処理装置１００は、第１処理部１０２と第２処理部１０３とを備え、撮像部１１が撮像した撮像画像を基に、用途に応じた画像（認証用の画像及び表示用の画像）を生成する。
【０１１７】
この構成により、撮像部で撮像された画像が複数の用途で利用される場合であっても、各用途に最適な画像を提供することができる。
【０１１８】
また、第１処理部１０２及び第２処理部１０３の各々は、互いに異なる集積回路で実現されている。そのため、異なるタイミングでそれぞれ用途に応じた画像を生成することができることはもちろん、同一のタイミングでも並列処理を容易に実現することができる。
【０１１９】
さらには、第１処理部１０２及び第２処理部１０３の各々は、それぞれの用途に応じた画像を生成するために、同一処理について異なるパラメータを設定する。また、第１処理部１０２及び第２処理部１０３の各々は、それぞれの用途に応じた画像を生成するために、異なる処理を実行する。そのため、第１処理部１０２及び第２処理部１０３の各々は、それぞれの用途に応じた適切な画像を生成することができる。
【０１２０】
（５）変形例
以下に、変形例について説明する。なお、以下に説明する変形例は、上記実施形態と適宜組み合わせて適用可能である。
【０１２１】
（５−１）変形例１
実施形態では、インターホン親機２０を本開示の情報端末の一例として説明した。しかしながら、情報端末はインターホン親機２０に限定されない。情報端末は、ロビーインターホン１０（インターホン装置）と通信可能な端末、例えば管理人室に設けられた管理室親、住人が利用するスマートフォン、タブレット端末等であってもよい。
【０１２２】
スマートフォン、タブレット端末等の情報端末は、インターホン親機２０を介してロビーインターホン１０と通信可能に構成されてもよい。または、スマートフォン、タブレット端末等の情報端末は、制御装置４０及びネットワークＮＴ１を介して通信可能に構成されてもよい。
【０１２３】
（５−２）変形例２
実施形態において、画像処理装置１００の第２処理部１０３は、情報端末としてのインターホン親機２０の操作に基づいて表示用の画像の生成に係る処理の指示を受け付けるように構成されてもよい。または、第２処理部１０３は、インターホン親機２０から表示用の画像の生成に係る処理の内容の変更を受け付けるように構成されてもよい。例えば、第２処理部１０３は、表示用の画像の生成に係る処理について色調補正として濃淡補正を行っている場合に、インターホン親機２０から色調補正として明るさ補正に変更する指示を受け付ける。
【０１２４】
また、第２処理部１０３は、処理の変更の指示を、例えば住人が利用するスマートフォン等の情報端末から受け取ってもよい。
【０１２５】
第１処理部１０２は、インターホン親機２０及びスマートフォン等の端末から表示用の画像の生成に係る処理の内容の変更を受け付けないように構成されてもよい。これにより、認証用の画像については、高精度の画像を生成することを維持することができる。
【０１２６】
（５−３）変形例３
実施形態では、撮像部１１が撮像した画像の用途として、認証で用いる場合と、表示に用いる場合とを例として説明したが、用途は、これらに限定されない。
【０１２７】
撮像部１１が撮像した画像は他の用途に用いられてもよい。例えば、撮像部１１が撮像した画像は、監視用に用いられてもよい。画像を監視用として用いる場合には、画像処理装置１００は、認証用と同様に、人の顔が鮮明になるように歪補正及び色調補正のうち少なくとも一方を、撮像部１１が撮像した画像に対して行う。
【０１２８】
さらに、画像処理装置１００で処理された画像の送信先は、サーバ５０及びインターホン親機２０のいずれかに限定されない。用途に応じて画像の送信先を変更してもよい。例えば、撮像部１１が撮像した画像を監視用に用いる場合には、画像処理装置１００で処理された画像は、管理人室に設けられた管理室親機であってもよい。
【０１２９】
（５−４）変形例４
実施形態では、画像処理装置１００は、互い異なる集積回路で構成される２つの処理部（第１処理部１０２、第２処理部１０３）を備える構成としたが、この構成に限定されない。
【０１３０】
画像処理装置１００は、互い異なる集積回路で構成される３つ以上の処理部を備えてもよい。例えば、画像処理装置１００は、互い異なる集積回路で構成される３つの処理部を備える場合、第１処理部１０２は認証用の画像を生成し、第２処理部１０３は表示用の画像を静止し、第３処理部は物体検知用の画像を生成する。ここで、物体検知とは、例えば人の入退室を検知することである。第３処理部は、人の形状が鮮明になるように歪補正及び色調補正のうち少なくとも一方を、撮像部１１が撮像した画像に対して行う。
【０１３１】
また、第３処理部は、画像の用途として物体検知以外に、記録用、防犯用等に用いるための画像を生成してもよい。
【０１３２】
（５−５）変形例５
実施形態では、ロビーインターホン１０は、２つの通信部（第１通信部１３及び第２通信部１４）を備える構成としたが、この構成に限定されない。
【０１３３】
ロビーインターホン１０は、１つの通信部を備える構成であってもよい。この場合、第１処理部１０２は、生成した認証用の画像を、当該１つの通信部及び制御装置４０を介してサーバ５０に送信する。第２処理部１０３は、生成した表示用の画像を、当該１つの通信部及び制御装置４０を介してインターホン親機２０に送信する。
【０１３４】
（５−６）変形例６
実施形態では、画像の表示と、認証とは個別のタイミングで行われることを前提としたが、画像の表示と、認証とを同一のタイミングで行ってもよい。つまり、第１処理部１０２と第２処理部１０３とは、並列に動作してもよい。第１処理部１０２と第２処理部１０３とは、互い異なる集積回路で構成されるので、容易に並列動作させることが可能である。
【０１３５】
（５−７）変形例７
実施形態では、画像認証として顔認証を一例として説明した。画像認証は、顔認証に限定されない。例えば、画像認証は、人の顔の輪郭認証、瞳の光彩認証であってよい。例えば、輪郭認証を行う場合には、画像処理装置１００は、顔の輪郭が鮮明になるように、歪補正及び色調補正のうち少なくとも一方を、撮像部１１が撮像した画像に対して行う。
【０１３６】
（５−８）変形例８
以下、その他の変形例を列記する。
【０１３７】
実施形態では、画像処理に関する共通処理を画像取得部１０１が行う構成としたが、この構成に限定されない。第１処理部１０２及び第２処理部１０３の各々が、個別に共通処理を行ってもよい。
【０１３８】
また、実施形態では、第１処理部１０２及び第２処理部１０３は、互い異なる集積回路で構成されるとしたが、１つの集積回路に複数の演算処理回路を有するデュアルコアで構成されてもよい。
【０１３９】
また、実施形態では、ロビーインターホン１０が画像処理装置１００を備える構成としたが、この構成に限定されない。画像処理装置１００は、ロビーインターホン１０とは別筐体に設けられてもよい。つまり、画像処理装置１００は、ロビーインターホン１０とは別装置としてインターホンシステム１に設けられてもよい。画像処理装置１００は、ロビーインターホン１０とは別装置としてインターホンシステム１に設けられ場合、画像処理装置１００は、撮像部を有する玄関子機３０から画像を取得してもよい。この場合、撮像部を有する玄関子機３０は、本開示のインターホン装置に相当する。
【０１４０】
また、画像処理装置１００は、撮像部を有する玄関子機３０に設けられてもよい。この場合、玄関子機３０は、自機が有する撮像部で撮像された画像を基に、用途に応じた画像を生成する。これにより、画像処理装置１００を戸建に設けられたインターホンシステムにも適用できる。この場合、撮像部を有する玄関子機３０は、本開示のインターホン装置に相当する。
【０１４１】
また、画像処理装置１００は、インターホンシステム１以外のシステムに適用してもよい。例えば、認証及び画像の表示を行うシステムであれば、画像処理装置１００を適用することが可能である。
【０１４２】
また、インターホン親機２０は、認証用の画像が生成された場合には、認証用の画像を表示してもよい。
【０１４３】
また、ロビーインターホン１０とサーバ５０とは、ネットワークＮＴ１及び制御装置４０を介して通信を介して通信を行ってもよい。
【０１４４】
（その他の変形例）
上記実施形態は、本開示の様々な実施形態の一つに過ぎない。上記実施形態は、本開示の目的を達成できれば、設計等に応じて種々の変更が可能である。また、画像情報出力システム２と同様の機能は、画像情報出力方法、コンピュータプログラム、又はプログラムを記録した非一時的な記録媒体等で具現化されてもよい。一態様に係る画像情報出力方法は、画像取得ステップと、第１処理ステップと、第２処理ステップと、第１出力ステップと、第２出力ステップと、を含む。画像取得ステップは、撮像部１１を有するインターホン装置（ロビーインターホン１０）の撮像部１１が撮像した画像を取得する。第１処理ステップは、当該画像に基づいて、第１用途で利用する第１画像情報を生成する。第２処理ステップは、当該画像に基づいて、第２用途で利用する第２画像情報を生成する。第１出力ステップは、第１画像情報を出力する。第２出力ステップは、第２画像情報を出力する。一態様に係るプログラムは、コンピュータシステムを、上述した画像情報出力方法として機能させるためのプログラムである。
【０１４５】
本開示における画像情報出力システム２又は画像情報出力方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における画像情報出力システム２又は画像情報出力方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１４６】
コンピュータシステムである画像情報出力システム２は、１又は複数のコンピュータで構成されるシステムであってもよい。例えば、画像情報出力システム２の少なくとも一部の機能は、クラウド（クラウドコンピューティング）によって実現されてもよい。
【０１４７】
（まとめ）
以上説明したように、第１の態様の画像情報出力システム（２）は、画像取得部（１０１）と、第１処理部（１０２）と、第２処理部（１０３）と、第１出力部（１０４）と、第２出力部（１０５）と、を備える。画像取得部（１０１）は、撮像部（１１）を有するインターホン装置（例えば、ロビーインターホン１０）の撮像部（１１）が撮像した画像を取得する。第１処理部（１０２）は、当該画像に基づいて、第１用途で利用する第１画像情報（例えば、認証用の画像）を生成する。第２処理部（１０３）は、当該画像に基づいて、第２用途で利用する第２画像情報（例えば、表示用の画像）を生成する。第１出力部（１０４）は、第１画像情報を出力する。第２出力部（１０５）は、第２画像情報を出力する。
【０１４８】
この構成によると、第１処理部（１０２）は第１用途で利用する第１画像情報を生成し、第２処理部（１０３）は第２用途で利用する第２画像情報を生成する。したがって、撮像部（１１）で撮像された画像が複数の用途で利用される場合であっても、各用途に最適な画像を提供することができる。
【０１４９】
第２の態様の画像情報出力システム（２）では、第１の態様において、第１処理部（１０２）と第２処理部（１０３）とは、異なる処理を行う。この構成によると、利用の用途に応じた適切な処理を行うことができる。
【０１５０】
第３の態様の画像情報出力システム（２）では、第１の態様において、第１処理部（１０２）と第２処理部（１０３）とは、同一処理を異なるパラメータで行う。この構成によると、利用の用途に応じた適切な処理を行うことができる。
【０１５１】
第４の態様の画像情報出力システム（２）では、第１〜第３のいずれかの態様において、第１処理部（１０２）及び第２処理部（１０３）の各々が行う処理は、歪補正を含む。この構成によると、利用の用途に応じた適切な補正を行うことができる。
【０１５２】
第５の態様の画像情報出力システム（２）では、第１〜第４のいずれかの態様において、第１処理部（１０２）及び第２処理部（１０３）の各々が行う処理は、色調補正を含む。この構成によると、利用の用途に応じた適切な補正を行うことができる。
【０１５３】
第６の態様の画像情報出力システム（２）では、第１〜第５のいずれかの態様において、第１処理部（１０２）及び第２処理部（１０３）の各々が行う処理は、画像の一部の領域に対して行われる。この構成によると、画像を利用する際に必要な領域に対して、利用の用途に応じた適切な処理を行うことができる。
【０１５４】
第７の態様の画像情報出力システム（２）では、第６の態様において、一部の領域として複数の領域が画像に存在する場合、第１処理部（１０２）及び第２処理部（１０３）の各々は、それぞれの領域に応じた処理を行う。この構成によると、画像を利用する際に必要な複数の領域のそれぞれに対して、利用の用途に応じた適切な処理を行うことができる。
【０１５５】
第８の態様の画像情報出力システム（２）では、第１〜第７のいずれかの態様において、第１用途は、第１画像情報を用いた画像認証を含む。この構成によると、第１処理部（１０２）は、画像認証に適した処理を撮像部（１１）が撮像した画像に対して行うことで第１画像情報を生成するので、画像認証の精度を高めることができる。
【０１５６】
第９の態様の画像情報出力システム（２）では、第８の態様において、画像認証は顔認証を含む。この構成によると、顔認証の精度を高めることができる。
【０１５７】
第１０の態様の画像情報出力システム（２）では、第１〜第９の態様において、第２用途は、インターホン装置と通信する情報端末（例えば、インターホン親機２０）での表示を含む。この構成によると、第２処理部（１０３）は、画像の表示に適した処理を撮像部（１１）が撮像した画像に対して行うことで第２画像情報を生成するので、閲覧者が見易い画像を情報端末に表示させることができる。
【０１５８】
第１１の態様の画像情報出力システム（２）では、第１０の態様において、第１用途は、第１画像情報を用いた画像認証を含む。第１処理部（１０２）は、情報端末（例えば、インターホン親機２０）の操作に基づいて処理の内容を変更する指示を受け付けない。第２処理部（１０３）は、情報端末の操作に基づいて処理の内容を変更する指示を受け付ける。この構成によると、第２処理部（１０３）が生成した第２画像情報は、閲覧者の指示により閲覧者にとって見易いように変更することが可能である。さらには、画像認証の用途で利用する第１画像情報については、変更できないので、精度の高い認証を維持することができる。
【０１５９】
第１２の態様の画像情報出力システム（２）では、第１〜第１１のいずれかの態様において、第１処理部（１０２）と第２処理部（１０３）とは、異なる集積回路で構成されている。この構成によると、撮像部（１１）で撮像された画像が複数の用途で利用される場合であっても、各用途に最適な画像を提供することができる。
【０１６０】
第１３の態様の画像情報出力方法は、画像取得ステップと、第１処理ステップと、第２処理ステップと、第１出力ステップと、第２出力ステップと、を含む。画像取得ステップは、撮像部（１１）を有するインターホン装置（例えば、ロビーインターホン１０）の撮像部（１１）が撮像した画像を取得する。第１処理ステップは、当該画像に基づいて、第１用途で利用する第１画像情報を生成する。第２処理ステップは、当該画像に基づいて、第２用途で利用する第２画像情報を生成する。第１出力ステップは、第１画像情報を出力する。第２出力ステップは、第２画像情報を出力する。
【０１６１】
画像情報出力方法によると、撮像部（１１）で撮像された画像が複数の用途で利用される場合であっても、各用途に最適な画像を提供することができる。
【０１６２】
第１４の態様のプログラムは、コンピュータに、第１３の態様の画像情報出力方法を実行させるためのプログラムである。
【０１６３】
このプログラムによると、撮像部（１１）で撮像された画像が複数の用途で利用される場合であっても、各用途に最適な画像を提供することができる。
【０１６４】
第１５の態様の画像情報出力システム（２）は、画像取得部（１０１）と、第１処理部（１０２）と、第２処理部（１０３）と、第１出力部（１０４）と、第２出力部（１０５）と、を備える。画像取得部（１０１）は、画像を取得する。第１処理部（１０２）は、当該画像に基づいて顔認証向けに第１画像情報を生成する。第２処理部（１０３）は、当該画像に基づいて閲覧表示向けに第２画像情報を生成する。第１出力部（１０４）は、第１画像情報を出力する。第２出力部（１０５）は、第２画像情報を出力する。
【０１６５】
この構成によると、撮像部（１１）で撮像された画像が複数の用途で利用される場合であっても、各用途に最適な画像を提供することができる。
【符号の説明】
【０１６６】
２    画像情報出力システム
１０    ロビーインターホン（インターホン装置）
１１    撮像部
２０    インターホン親機（情報端末）
３０    玄関子機（インターホン装置）
１００    画像処理装置
１０１    画像取得部
１０２    第１処理部
１０３    第２処理部
１０４    第１出力部
１０５    第２出力部
【図１】
2020178290.tif 000003
【図２】
2020178290.tif 000004
【図３】
2020178290.tif 000005
【図４】
2020178290.tif 000006
【図５】
2020178290.tif 000007
【図６】
2020178290.tif 000008